【手続補正書】
【提出日】令和3年3月26日(2021.3.26)
【手続補正１】
【補正対象書類名】特許請求の範囲
【補正対象項目名】全文
【補正方法】変更
【補正の内容】
【特許請求の範囲】
【請求項１】
車両（Ａ）において用いられ、ヘッドアップディスプレイ（３０）による虚像（Ｖｉ）の表示を制御する表示制御装置であって、
前記車両の走行経路（ＤＲ）を案内する案内表示物（１１）を生成する表示生成部（７３）と、
前記案内表示物による経路案内が生じる案内ポイント（ＧＰ）までの残距離（Ｌｒ）を把握する距離把握部（５１）と、
前記車両から前記案内ポイントまでの前記残距離が切替距離（Ｌ２）よりも長い場合に、重畳対象を特定されない非重畳虚像（１２）を前記案内表示物として表示させ、前記案内ポイントまでの前記残距離が前記切替距離よりも短くなると、特定の重畳対象に重畳される重畳虚像（１４）を表示させる表示制御部（５３）と、
前記残距離の把握に用いられる地図データの精度に合わせて、前記重畳虚像の表示を許容する表示許可範囲（ＵＡ）を、前記虚像を表示可能な画角（ＶＡ）内に規定する領域制限部（５２）と、
を備える表示制御装置。
【請求項２】
前記領域制限部は、前記地図データの精度が高くなるほど、前記画角内で前記表示許可範囲を大きく規定する請求項１に記載の表示制御装置。
【請求項３】
車両（Ａ）において用いられ、ヘッドアップディスプレイ（３０）による虚像（Ｖｉ）の表示を制御する表示制御装置であって、
前記車両の走行経路（ＤＲ）を案内する案内表示物（１１）を生成する表示生成部（７３）と、
前記案内表示物による経路案内が生じる案内ポイント（ＧＰ）までの残距離（Ｌｒ）を把握する距離把握部（５１）と、
前記車両から前記案内ポイントまでの前記残距離が切替距離（Ｌ２）よりも長い場合に、重畳対象を特定されない非重畳虚像（１２）を前記案内表示物として最初に表示させ、前記案内ポイントまでの前記残距離が前記切替距離よりも短くなると、特定の重畳対象に重畳される重畳虚像（１４）を表示させる表示制御部（５３）と、を備え、
前記表示制御部は、前記案内ポイントでの経路案内に利用可能な高精度地図データがある場合、前記残距離が前記切替距離より長くても前記重畳虚像を前記案内表示物として最初に表示させる表示制御装置。
【請求項４】
前記表示制御部は、
前記案内ポイントでの経路案内に利用可能な高精度地図データがない場合、前記案内表示物として前記非重畳虚像を最初に表示させた後、前記重畳虚像を表示させ、
前記案内ポイントでの経路案内に利用可能な高精度地図データがない場合、前記案内表示物として前記重畳虚像を前記経路案内の最初から最後まで継続して表示させる請求項３に記載の表示制御装置。
【請求項５】
車両（Ａ）において用いられ、ヘッドアップディスプレイ（３０）による虚像（Ｖｉ）の表示を制御する表示制御プログラムであって、
少なくとも一つの処理部（６１）を、
前記車両の走行経路（ＤＲ）を案内する案内表示物（１１）を生成する表示生成部（７３）、
前記案内表示物による経路案内が生じる案内ポイント（ＧＰ）までの残距離（Ｌｒ）を把握する距離把握部（５１）、
前記車両から前記案内ポイントまでの前記残距離が切替距離（Ｌ２）よりも長い場合に、重畳対象を特定されない非重畳虚像（１２）を前記案内表示物として表示させ、前記案内ポイントまでの前記残距離が前記切替距離よりも短くなると、特定の重畳対象に重畳される重畳虚像（１４）を表示させる表示制御部（５３）、
前記残距離の把握に用いられる地図データの精度に合わせて、前記重畳虚像の表示を許容する表示許可範囲（ＵＡ）を、前記虚像を表示可能な画角（ＶＡ）内に規定する領域制限部（５２）、として機能させる表示制御プログラム。
【請求項６】
車両（Ａ）において用いられ、ヘッドアップディスプレイ（３０）による虚像（Ｖｉ）の表示を制御する表示制御プログラムであって、
少なくとも一つの処理部（６１）を、
前記車両の走行経路（ＤＲ）を案内する案内表示物（１１）を生成する表示生成部（７３）、
前記案内表示物による経路案内が生じる案内ポイント（ＧＰ）までの残距離（Ｌｒ）を把握する距離把握部（５１）、
前記車両から前記案内ポイントまでの前記残距離が切替距離（Ｌ２）よりも長い場合に、重畳対象を特定されない非重畳虚像（１２）を前記案内表示物として最初に表示させ、前記案内ポイントまでの前記残距離が前記切替距離よりも短くなると、特定の重畳対象に重畳される重畳虚像（１４）を表示させる表示制御部（５３）、として機能させ、
前記表示制御部は、前記案内ポイントでの経路案内に利用可能な高精度地図データがある場合、前記残距離が前記切替距離より長くても前記重畳虚像を前記案内表示物として最初に表示させる表示制御プログラム。
【手続補正２】
【補正対象書類名】明細書
【補正対象項目名】０００６
【補正方法】変更
【補正の内容】
【０００６】
上記目的を達成するため、開示された一つの態様は、車両（Ａ）において用いられ、ヘッドアップディスプレイ（３０）による虚像（Ｖｉ）の表示を制御する表示制御装置であって、車両の走行経路（ＤＲ）を案内する案内表示物（１１）を生成する表示生成部（７３）と、案内表示物による経路案内が生じる案内ポイント（ＧＰ）までの残距離（Ｌｒ）を把握する距離把握部（５１）と、車両から案内ポイントまでの残距離が切替距離（Ｌ２）よりも長い場合に、重畳対象を特定されない非重畳虚像（１２）を案内表示物として表示させ、案内ポイントまでの残距離が切替距離よりも短くなると、特定の重畳対象に重畳される重畳虚像（１４）を表示させる表示制御部（５３）と、残距離の把握に用いられる地図データの精度に合わせて、重畳虚像の表示を許容する表示許可範囲（ＵＡ）を、虚像を表示可能な画角（ＶＡ）内に規定する領域制限部（５２）と、を備える表示制御装置とされる。
また開示された一つの態様は、車両（Ａ）において用いられ、ヘッドアップディスプレイ（３０）による虚像（Ｖｉ）の表示を制御する表示制御装置であって、車両の走行経路（ＤＲ）を案内する案内表示物（１１）を生成する表示生成部（７３）と、案内表示物による経路案内が生じる案内ポイント（ＧＰ）までの残距離（Ｌｒ）を把握する距離把握部（５１）と、車両から案内ポイントまでの残距離が切替距離（Ｌ２）よりも長い場合に、重畳対象を特定されない非重畳虚像（１２）を案内表示物として最初に表示させ、案内ポイントまでの残距離が切替距離よりも短くなると、特定の重畳対象に重畳される重畳虚像（１４）を表示させる表示制御部（５３）と、を備え、表示制御部は、案内ポイントでの経路案内に利用可能な高精度地図データがある場合、残距離が切替距離より長くても重畳虚像を案内表示物として最初に表示させる表示制御装置とされる。
【手続補正３】
【補正対象書類名】明細書
【補正対象項目名】０００７
【補正方法】変更
【補正の内容】
【０００７】
また開示された一つの態様は、車両（Ａ）において用いられ、ヘッドアップディスプレイ（３０）による虚像（Ｖｉ）の表示を制御する表示制御プログラムであって、少なくとも一つの処理部（６１）を、車両の走行経路（ＤＲ）を案内する案内表示物（１１）を生成する表示生成部（７３）、案内表示物による経路案内が生じる案内ポイント（ＧＰ）までの残距離（Ｌｒ）を把握する距離把握部（５１）、車両から案内ポイントまでの残距離が切替距離（Ｌ２）よりも長い場合に、重畳対象を特定されない非重畳虚像（１２）を案内表示物として表示させ、案内ポイントまでの残距離が切替距離よりも短くなると、特定の重畳対象に重畳される重畳虚像（１４）を表示させる表示制御部（５３）、残距離の把握に用いられる地図データの精度に合わせて、重畳虚像の表示を許容する表示許可範囲（ＵＡ）を、虚像を表示可能な画角（ＶＡ）内に規定する領域制限部（５２）、として機能させる表示制御プログラムとされる。
また開示された一つの態様は、車両（Ａ）において用いられ、ヘッドアップディスプレイ（３０）による虚像（Ｖｉ）の表示を制御する表示制御プログラムであって、少なくとも一つの処理部（６１）を、車両の走行経路（ＤＲ）を案内する案内表示物（１１）を生成する表示生成部（７３）、案内表示物による経路案内が生じる案内ポイント（ＧＰ）までの残距離（Ｌｒ）を把握する距離把握部（５１）、車両から案内ポイントまでの残距離が切替距離（Ｌ２）よりも長い場合に、重畳対象を特定されない非重畳虚像（１２）を案内表示物として最初に表示させ、案内ポイントまでの残距離が切替距離よりも短くなると、特定の重畳対象に重畳される重畳虚像（１４）を表示させる表示制御部（５３）、として機能させ、表示制御部は、案内ポイントでの経路案内に利用可能な高精度地図データがある場合、残距離が切替距離より長くても重畳虚像を案内表示物として最初に表示させる表示制御プログラムとされる。
【手続補正４】
【補正対象書類名】明細書
【補正対象項目名】０００８
【補正方法】変更
【補正の内容】
【０００８】
これらの態様によれば、案内ポイントまでの残距離が切替距離よりも長い段階では、非重畳虚像が表示され得る。その結果、知覚し難い案内ポイントを無理に認識するようなタスクの発生が防がれ得る。そして、案内ポイントまでの残距離が切替距離よりも短くなった段階で、重畳表示が案内表示物として表示される。こうした案内表示物の表示変化によれば、重畳対象の認識が容易となったタイミングにて、案内表示物は、重畳対象に乗員の注意を向けさせることができる。その結果、虚像表示は、スムーズな運転ができるように乗員を支援可能となる。